(57)【要約】【課題】排気口からの臭い成分の流出を防止することができる画像形成装置を提供すること。【解決手段】排気口３７を備えた本体ケース２と、本体ケース２の内部に設けられ、未定着像を担持するシート材を加熱することにより未定着像をシート材に定着させる定着部と、該定着部において未定着像の定着の際に発生する臭い成分を含む気体を、排気口３７に導く排気経路と、排気経路の途中に設けられ、前記未定着像の定着の際に発生する臭い成分を分解する機能を有する触媒４１とを備えたことを特徴とする。【選択図】図３
2006133425.tif 000002
【特許請求の範囲】
【請求項１】
排気口を備えたケーシングと、
前記ケーシング内部に設けられ、未定着像を担持する記録媒体を加熱することにより前記未定着像を記録媒体に定着させる定着部と、
該定着部において前記未定着像の定着の際に発生する臭い成分を含む気体を、前記排気口に導く排気経路と、
前記排気経路の途中に設けられ、前記未定着像の定着の際に発生する臭い成分を分解する機能を有する触媒とを備えたことを特徴とする画像形成装置。
【請求項２】
前記排気口を介して前記排気経路内の空気を強制的に排気する排気ファンを備え、
前記触媒は、前記排気経路の前記排気ファンより上流側に設けられている請求項１に記載の画像形成装置。
【請求項３】
前記触媒は、前記排気経路を囲む部材の内表面に設けられている請求項１または２に記載の画像形成装置。
【請求項４】
前記排気経路内に、前記臭い成分を吸着する機能を有するフィルターを備える請求項１ないし３のいずれかに記載の画像形成装置。
【請求項５】
前記フィルターは、前記排気経路の前記触媒より下流側に設けられる請求項４に記載の画像形成装置。
【請求項６】
前記触媒は、前記フィルターの内部または表面に担持される請求項４に記載の画像形成装置。
【請求項７】
前記フィルターは、多孔質体で構成されている請求項４ないし６のいずれかに記載の画像形成装置。
【請求項８】
前記フィルターは、主として炭素系物質で構成されている請求項４ないし７のいずれかに記載の画像形成装置。
【請求項９】
前記触媒は、紫外線の照射により触媒作用を発揮する光触媒である請求項１ないし８のいずれかに記載の画像形成装置。
【請求項１０】
前記光触媒は、二酸化チタンを主成分とするものである請求項９に記載の画像形成装置。
【請求項１１】
前記光触媒に紫外線を照射する紫外線光源を備える請求項９または１０に記載の画像形成装置。
【請求項１２】
前記紫外線光源から発せられた紫外線を、前記光触媒に導く導光手段を有する請求項１１に記載の画像形成装置。
【請求項１３】
前記ケーシングには、外部からの光を取り込み、該光を前記光触媒に照射するための窓部が設けられている請求項９ないし１２のいずれかに記載の画像形成装置。
【請求項１４】
前記触媒は、粉末状のものである請求項１ないし１３のいずれかに記載の画像形成装置。
【請求項１５】
前記粉末状の前記触媒は、その平均粒径が、１〜２００μｍである請求項１４に記載の画像形成装置。
【発明の詳細な説明】
【技術分野】
【０００１】
本発明は、画像形成装置に関するものである。
【背景技術】
【０００２】
近年、プリンタ等の画像形成装置（以下「プリンタ」という）の使用時において、プリンタから発生する臭気が問題となっている。
現状においても、環境基準が設定され、十分な対策が行われているものの、例えば、プリンタの近くで作業を行う状況が多く見受けられるＳＯＨＯ（在宅、小規模オフィス）や、環境対策が特に望まれている公共施設および教育機関などでは、臭いに対する対策が望まれている。
【０００３】
従来、例えば、トナーそのものの改善によって、トナー自体から発生する臭い（臭気）および定着ローラなどを用いた加熱などによりトナーを定着する際に発生する臭いを抑える技術が知られている（例えば、特許文献１参照）。
しかしながら、トナー材料を改善しても完全に臭いを取り去ることは現時点では難しく、用いられるトナーも特殊なもの（添加する材料が特殊なもの）であることから、そのコストが懸念される。
また、画像形成装置（レーザープリンタ）は、装置そのものが高温状態で使用されることから、定着装置部分での臭いが停滞することもあり、プリンタの排気系からの臭いの流出も完全に防ぐことは難しい。
【０００４】
【特許文献１】特開２０００−３３０３２６号公報
【発明の開示】
【発明が解決しようとする課題】
【０００５】
本発明の目的は、排気口からの臭い成分の流出を防止することができる画像形成装置を提供することにある。
【課題を解決するための手段】
【０００６】
このような目的は、下記の本発明により達成される。
本発明の画像形成装置は、排気口を備えたケーシングと、
前記ケーシング内部に設けられ、未定着像を担持する記録媒体を加熱することにより前記未定着像を記録媒体に定着させる定着部と、
該定着部において前記未定着像の定着の際に発生する臭い成分を含む気体を、前記排気口に導く排気経路と、
前記排気経路の途中に設けられ、前記未定着像の定着の際に発生する臭い成分を分解する機能を有する触媒とを備えたことを特徴とする。
これにより、臭い成分を効率よく分解することができるため、（臭い成分に対する優れた触媒作用（分解作用）を発揮することができるため）、排気口からの臭い成分の流出を防止することができる。また、保守作業の軽減を図ることができ、コストの低減を図ることができる。
【０００７】
本発明の画像形成装置では、前記排気口を介して前記排気経路内の空気を強制的に排気する排気ファンを備え、
前記触媒は、前記排気経路の前記排気ファンより上流側に設けられていることが好ましい。
これにより、確実に臭い成分が分解された気体を排気することができる。
【０００８】
本発明の画像形成装置では、前記触媒は、前記排気経路を囲む部材の内表面に設けられていることが好ましい。
これにより、容易に、触媒を設けることができる。
本発明の画像形成装置では、前記排気経路内に、前記臭い成分を吸着する機能を有するフィルターを備えることが好ましい。
これにより、臭い成分の吸着性と臭い成分に対する分解作用とが得られるため、より確実に、排気口からの臭いの流出を防止することができる。
【０００９】
本発明の画像形成装置では、前記フィルターは、前記排気経路の前記触媒より下流側に設けられることが好ましい。
これにより、フィルターの長寿命化を図ることができる。
本発明の画像形成装置では、前記触媒は、前記フィルターの内部または表面に担持されることが好ましい。
これにより、小型化、省スペース化が図れる。
【００１０】
本発明の画像形成装置では、前記フィルターは、多孔質体で構成されていることが好ましい。
これにより、より高い臭い成分の吸着性が得られる。
本発明の画像形成装置では、前記フィルターは、主として炭素系物質で構成されていることが好ましい。
これにより、さらに高い臭い成分の吸着性が得られる。
【００１１】
本発明の画像形成装置では、前記触媒は、紫外線の照射により触媒作用を発揮する光触媒であることが好ましい。
これにより、容易に触媒作用を発揮させることができる。
本発明の画像形成装置では、前記光触媒は、二酸化チタンを主成分とするものであることが好ましい。
これにより、優れた触媒作用を発揮させることができる。
【００１２】
本発明の画像形成装置では、前記光触媒に紫外線を照射する紫外線光源を備えることが好ましい。
これにより、容易かつ確実に、触媒作用を発揮させることができる。
本発明の画像形成装置では、前記紫外線光源から発せられた紫外線を、前記光触媒に導く導光手段を有することが好ましい。
これにより、画像形成装置における、設計の自由度を向上させることができる。
【００１３】
本発明の画像形成装置では、前記ケーシングには、外部からの光を取り込み、該光を前記光触媒に照射するための窓部が設けられていることが好ましい。
これにより、装置の構造を簡易なものとすることができる。
本発明の画像形成装置では、前記触媒は、粉末状のものであることが好ましい。
これにより、触媒の表面積を増大させることができ、臭い成分と触媒とが接触する頻度をより高めることができる。
本発明の画像形成装置では、前記粉末状の前記触媒は、その平均粒径が、１〜２００μｍであることが好ましい。
これにより、触媒の表面積を十分に大きくすることができる。
【発明を実施するための最良の形態】
【００１４】
以下、本発明の画像形成装置について、添付図面に示す好適実施形態に基づいて詳細に説明する。
図１は、本発明の画像形成装置の第１実施形態を示す側面断面図である。
画像形成装置１は本体ケース（ケーシング）２を有し、装置１の前面に開閉可能に装着される前面カバー２ａを備えている。本体ケース２内には、感光体ドラムからなる像担持体３が配設され、図示しない駆動手段によって図示矢印方向に回転駆動される。この像担持体３の周囲には、その回転方向に沿って、像担持体３を一様に帯電するための帯電装置４、像担持体３上に静電潜像を形成するための露光装置５、静電潜像を現像するためのロータリー現像装置６、像担持体３上に形成された単色のトナー像を一次転写するための中間転写装置７が配設されている。
【００１５】
ロータリー現像装置６は、イエロー用現像装置６Ｙ、マゼンタ用現像装置６Ｍ、シアン用現像装置６Ｃおよびブラック用現像装置６Ｋが支持フレーム９に装着され、支持フレーム９は図示しない駆動モータにより回転駆動される構成になっている。これらの複数の現像装置６Ｙ、６Ｍ、６Ｃ、６Ｋは、像担持体３の所定量の回転毎に或る現像装置の現像ローラ６ａが選択的に像担持体３に対向するように回転移動するようにされている。なお、各現像装置６Ｙ、６Ｍ、６Ｃ、６Ｋには各色のトナーが収納されたトナー収納部が形成されている。
【００１６】
中間転写装置７は、駆動ローラ１０および従動ローラ１１と、両ローラ１０、１１に巻架され図示矢印方向に駆動される中間転写ベルト１２と、ベルト１２の裏面で像担持体３に対向して配設された一次転写ローラ１３と、ベルト１２上の残留トナーを除去する転写ベルトクリーナ１４と、駆動ローラ１０に対向して配設され、中間転写ベルト１２上に形成された４色フルカラー像をシート材（記録媒体）上に転写するための二次転写ローラ１５とからなっている。
【００１７】
露光装置５の下方には電源機器１６が配設され、また本体ケース２の底部には給紙カセット１７が配設され、給紙カセット１７内のシート材は、ピックアップローラ１８、シート材搬送路１９、二次転写ローラ１５、定着装置２０を経て排紙トレイ２１に搬送されるように構成されている。なお、給紙カセット１７は把手１７ｂにより装置前方に引き出し可能に装着されているとともに、用紙サイズが大きい場合に対応できるように、装置後方に突出するように引き出し可能に補助カセット１７ａが装着されている。
【００１８】
上記構成からなる画像形成装置の作用について説明する。図示しないコンピュータからの画像形成信号が入力されると、像担持体３、現像装置６の現像ローラ６ａおよび中間転写ベルト１２が回転駆動し、先ず、像担持体３の外周面が帯電装置４によって一様に帯電され、一様に帯電された像担持体３の外周面に、露光装置５によって第１色目（例えばイエロー）の画像情報に応じた選択的な露光がなされ、イエローの静電潜像が形成される。
【００１９】
像担持体３上に形成された潜像位置には、イエロー用現像装置６Ｙが回動してその現像ローラ６ａが当接し、これによってイエローの静電潜像のトナー像が像担持体３上に形成され、次に、像担持体３上に形成されたトナー像は一次転写ローラ１３により中間転写ベルト１２上に転写される。このとき、二次転写ローラ１５は中間転写ベルト１２から離間されている。
【００２０】
上記の処理が画像形成信号の第２色目、第３色目、第４色目に対応して、像担持体３と中間転写ベルト１２の１回転による潜像形成、現像、転写が繰り返され、画像形成信号の内容に応じた４色のトナー像が中間転写ベルト１２上において重ねられて転写される。そして、このフルカラー画像が二次転写ローラ１５に達するタイミングで、シート材が搬送路１９から二次転写ローラ１５に供給され、このとき、二次転写ローラ１５が中間転写ベルト１２に押圧されるとともに二次転写電圧が印加され、中間転写ベルト１２上のフルカラートナー像がシート材上に転写される。そして、このシート材上に転写されたトナー像は定着装置２０により加熱加圧され定着される。中間転写ベルト１２上に残留しているトナーは転写ベルトクリーナ１４によって除去される。
【００２１】
なお、両面プリントの場合には、定着装置２０を出たシート材は、その後端が先端となるようにスイッチバックされ、両面印刷用搬送路２２を経て、再び二次転写ローラ１５に供給され、中間転写ベルト１２上のフルカラートナー像がシート材上に転写され、再び定着装置２０により加熱加圧され定着される。
図２は、図１に示す画像形成装置における定着装置の側面断面図、図３は、画像形成装置における排気経路を示す正面図である。
【００２２】
図２において、定着装置２０は定着ハウジング２３を有し、定着ハウジング２３内には内部に加熱源を有する定着ローラ２４が図示矢印方向に回動可能に配設され、定着ローラ２４に対して略水平方向に加圧ローラ２５が圧接して配設され、図示矢印方向に回動可能にされている。定着ハウジング２３の入口側にはシート材のガイド部材２６が配設され、出口側にはガイド部材２７が配設されている。
【００２３】
本実施形態では、定着ローラ２４と加圧ローラ２５との圧接面により、定着部が構成されている。
定着ローラ２４の上部には、トナー像が定着されたシート材を定着ローラ２４から剥離するための剥離部材２９が配設され、剥離部材２９の先端は定着ローラ２４に対して微少間隙をもって位置するようにされている。定着ハウジング２３には支持軸３０が固定されており、支持軸３０には定着ローラ２４の両端部に対向する位置に２つの支持部材３１が回動自在に装着され、また、支持部材３１の先端と定着ハウジング２３間には支持部材３１を押圧するバネ部材３２が設けられている。
【００２４】
そして、２つの支持部材３１間には前記剥離部材２９が固定される。以上の構成により支持部材３１の先端は定着ローラ２４に当接され、剥離部材２９の先端は定着ローラ２４に対して微少なクリアランスをもって位置するようにされている。また、加圧ローラ２５側にも剥離部材３３が配設されている。そして、定着ハウジング２３の上部には遮蔽部材３４が固定され、その端部は支持部材３１の上部に当接されている。この構成により、定着ハウジング２３の定着ローラ２４側の上部開口を遮蔽することができ、熱効率を向上させることができる。
図３に示すように、画像形成装置１は、本体ケース２の一方の側面に形成された給気口３５と、他方の側面に形成された排気口３７と、排気口３７に排気を導く排気ダクト３８とを有している。
【００２５】
本実施形態では、給気口３５と、定着装置２０の空間と、排気ダクト３８の空間と、排気口３７とにより排気経路の主要部が構成されている。
また、排気ダクト３８内に排気ファン３６が配設されている。排気ファン３６は、排気経路内の空気を強制的に排気する。
排気ダクト３８の内表面、すなわち排気経路の途中には、触媒として光触媒４１が設けられ、排気ダクト３８内の光触媒４１に対向する位置には、ＬＥＤ３９が設けられている。この光触媒４１は、本実施形態では、排気ファン３６の上流側（定着装置２０側）に配設されている。
【００２６】
また、ＬＥＤ３９は、光触媒４１の略全面に対して満遍なく照射できるように設置されている。図示の構成では、図３中排気ダクト３８の上部に３つのＬＥＤ３９、３９、３９が設置されている。これら各ＬＥＤ３９は、画像形成装置１の電源がＯＮしている間は、常時点灯させておくのが好ましい。
ここで、ＬＥＤ３９の照射する光の波長は、光触媒４１を励起できるものであれば特に限定されないが、３５０〜４００ｎｍ程度が好ましい。また、ＬＥＤ３９の設置個数は特に限定されず、単数個でも複数個でもよい。
【００２７】
光触媒４１は、ＬＥＤ３９から紫外光が照射されることにより、光電効果で電子を励起して電子と正孔とが発生し、これらの電子と正孔とから活性酸素（Ｏ２−）と水酸基ラジカル（−ＯＨ）などの強力な酸化剤が発生する。これらの酸化剤は、光触媒の表面で、臭い成分を酸化して例えば、二酸化炭素や水等とに分解する。これにより、画像形成装置１から排出される空気中から臭い成分が消失または減少する。このため、使用者が実質的に臭気を感じなくなる。
なお、臭い成分の主なものは、潜像（未定着像）の定着の際に発生するものであり、トナーに用いられる樹脂のモノマー成分等が挙げられる。
【００２８】
光触媒４１は、例えば、粉末状、燐片状、小塊状（ペレット状）、ハニカム状として用いることができるが、粉末状であるのが好ましい。これにより、光触媒４１の単位重量当たりの表面積が大きくなり、臭い成分と光触媒４１とが接触する頻度をより高めることができる。このため、光触媒４１における臭い成分の分解の効率が向上する。
光触媒４１が、粉末である場合、その平均粒径は、特に限定されないが、１〜２００μｍであるのが好ましく、１〜２０μｍであるのがより好ましい。これにより、光触媒４１の表面積を十分に大きくすることができる。
【００２９】
光触媒４１としては、特に限定されないが、例えば、ＴｉＯ、ＴｉＯ２、Ｔｉ２Ｏ３、Ｚｎ２Ｏ、ＺｎＯ、ＣｅＯ、ＣｅＯ２、Ｃｅ２Ｏ３、Ｙ２Ｏ３、Ｎｂ２Ｏ５、ＷＯ３、ＳｎＯ２、ＺｒＯ２、ＳｒＴｉＯ３、ＫＴａＯ３、Ｋ４Ｎｂ６Ｏ１７等の金属酸化物、ＣｄＳ、ＺｎＳ等の金属硫化物、ＣｄＳｅ、ＭｏＳｅ２、ＷＳｅ２等の金属セレン化物、ＧａＰ等の金属リン化物、ＣｄＴｅ等の金属テルル化物、Ｓｉ、ＧａＡｓ等の半導体、Ｒｕ錯体、Ｃｏ錯体、Ｒｈ錯体等の金属錯体、金属含有フタロシアニン、金属含有ポルフィリン等が挙げられ、これらのうち１種または２種以上を組み合わせて用いることができる。この中でも、金属酸化物が好ましく、特に、ＴｉＯ２（二酸化チタン）を主成分とするものが好ましい。ＴｉＯ２を主成分とする光触媒４１は、特に優れた触媒作用を発揮する。
また、二酸化チタンは、アナターゼ型、ルチル型、ブッカイト（ブルーカイト）型等、いかなる結晶構造を有するものであってもよいが、特に、アナターゼ型を主とするものが好ましい。これにより、可視光領域に近い紫外光をより効率良く吸収することが可能となり、効率よく触媒作用が発揮されるようになる。
【００３０】
光触媒４１を排気ダクト３８の内表面に設ける方法としては、例えば、排気ダクト３８の構成材料中に光触媒４１を混合して排気ダクト３８を形成する方法や、光触媒４１をバインダーと混合して排気ダクト３８の内表面に塗布してコート層を形成する方法や、排気ダクト３８の内表面に、光触媒４１を付着させたフィルムを貼着する方法や、光触媒４１をガラスまたは陶器製の板材の上にのせ、この板材を排気ダクトの内表面に貼着する方法などが挙げられる。
なお、バインダーとしては、例えば、（エチル）アルコールや、酸化チタン溶液等が挙げられる。
【００３１】
次に、臭い成分の分解動作（作用）を説明する。
まず、画像形成装置１の電源がＯＮすると、排気ファン３６が回転し、これにより、給気口３５から排気口３７に向かって、空気の流れが形成される。それと並行してＬＥＤ３９から紫外光が光触媒４１に対して照射される。これにより、光触媒４１が紫外光によって励起される。この状態において、定着装置２０におけるトナーの定着の際に生じた臭い成分が、排気ダクト３８に導かれ、光触媒４１と接触する。これにより、臭い成分が、光触媒４１の作用により、例えば、水や二酸化炭素等に分解される。
【００３２】
以上説明したように、この画像形成装置１によれば、特に、印刷時の定着装置２０における定着部のトナーの定着動作によって発生する臭い成分を効率よく分解することができるため、排気口３７からの臭い成分の流出を防止することができる。また、保守作業の軽減を図ることができ、（ほぼメインテナンスフリーであり）、コストの低減を図ることができる。
【００３３】
また、本実施形態では、排気ダクト３８の内表面に、粉体の光触媒４１を配設したが、これに限られず、例えば、セラミックスボールの表面を光触媒４１で被覆し、このものをケースに充填して排気経路の途中に配置するようにしてもよいし、排気経路を構成する内表面に光触媒４１を直接スパッタ方式または蒸着方式で成膜してもよい。前者の場合、用いるセラミックスボールの平均粒径は、特に限定されない。このようなセラミックスボールを用いることにより、光触媒４１の表面積を増大させることができ、臭い成分と光触媒４１とが接触する頻度をより高めることができる。
【００３４】
次に、本発明の画像形成装置の第２実施形態について説明する。
図４は、本発明の画像形成装置の第２実施形態を示す正面図である。
以下、第２実施形態の画像形成装置１について、前述した第１実施形態との相違点を中心に説明し、同様の事項については、その説明を省略する。
図４に示すように、第２実施形態の画像形成装置１は、各光ファイバー（導光手段）４９を介して各ＬＥＤ３９を光触媒に対して照射する構成となっている点が第１実施形態と異なっている。
【００３５】
この画像形成装置１によれば、前述した第１実施形態の画像形成装置１と同様の効果が得られる。
そして、この画像形成装置１では、ＬＥＤ３９を排気ダクト３８以外の場所に配置することができるため、画像形成装置１における、設計の自由度を向上させることができる。
なお、第２実施形態では、導光手段として光ファイバーを用いたが、それに限られず、例えば、ミラー等が挙げられる。
【００３６】
次に、本発明の画像形成装置の第３実施形態について説明する。
図５は、本発明の画像形成装置の第３実施形態を示す正面図である。
以下、第３実施形態の画像形成装置１について、前述した第１実施形態との相違点を中心に説明し、同様の事項については、その説明を省略する。
図５に示すように、第３実施形態の画像形成装置１は、フィルター４２を有している点が第１実施形態と異なっている。
【００３７】
フィルター４２は、フィルター４２を介して給気口３５側の空間と、排気口３７側の空間とを分離するように設置されており、本実施形態では、排気ダクト３８の光触媒４１より排気口３７側（下流側）に設置されている。
また、フィルター４２は、臭い物質が通過する部分である構造部（図示せず）を有している。
構造部の形状（形態）は、特に限定されないが、例えば、織布、不織布などが挙げられるが、多孔質体であるのが好ましい。構造部を多孔質体で構成することにより、より高い臭い成分の吸着性が得られる。
【００３８】
また、構造部の構成材料としては、例えば、各種炭素系物質やゼオライト、シリカゲル、アルミナ等の酸化物等が挙げられ、これらのうち１種または２種以上を組み合わせて用いることができるが特に、主として炭素系物質で構成されているのが好ましい。これにより、さらに高い、臭い成分の吸着性が得られる。
この画像形成装置１によれば、前述した第１実施形態の画像形成装置１と同様の効果が得られる。
そして、この画像形成装置１では、光触媒４１とフィルター４２とを併設することで、排気口３７からの臭い成分の流出を、より確実に防止することができる。
【００３９】
次に、本発明の画像形成装置の第４実施形態について説明する。
図６は、本発明の画像形成装置の第４実施形態を示す正面図である。
以下、第４実施形態の画像形成装置１について、前述した第１実施形態との相違点を中心に説明し、同様の事項については、その説明を省略する。
第４実施形態の画像形成装置１は、ＬＥＤ３９の代わりに、太陽光や、蛍光灯の紫外光等の外部からの光を取り込み、その光を光触媒に照射するための窓部４３、４４を設けた点が、第１実施形態と異なっている。
【００４０】
この窓部４３、４４は、それぞれ、排気ダクト３８の光触媒に対応する部位および本体ケース２に形成されている。
そして、これらの窓部４３、４４を塞ぐように透明部材４５、４６が装着（固定）されている。
この透明部材４５、４６の構成材料としては、特に限定されないが、４００ｎｍ以下の波長の光を透過させないような材質および処理（紫外線カット）を施したものは使用しない。好ましくは石英ガラスなどが良いが、前記した紫外線カットをほどこしていない、ポリカーボネイト等の各種樹脂材料、各種ガラス等が挙げられる。
【００４１】
この画像形成装置１によれば、前述した第１実施形態の画像形成装置１と同様の効果が得られる。
そして、この画像形成装置１では、画像形成装置１の電源が入っていない場合においても、外光を取り入れることにより光触媒の触媒作用が得られるため、画像形成装置１の構造を簡易なものとすることができる。
【００４２】
また、第１実施形態で述べたＬＥＤ３９を用いた光の照射と、本実施形態での窓部４３、４４からの光の照射とを併用することで、光触媒４１の臭い成分に対してのより大きな触媒作用が得られる。
次に、本発明の画像形成装置の第５実施形態について説明する。
図７および図８は、本発明の画像形成装置の第５実施形態におけるフィルターを示す断面図である。
【００４３】
以下、第５実施形態の画像形成装置１について、前述した第１および第３実施形態との相違点を中心に説明し、同様の事項については、その説明を省略する。
図７および図８に示すように、第５実施形態の画像形成装置１は、排気ダクト３８の内表面に光触媒４１が配置（配設）されず、フィルター４２の内部に光触媒４１が担持されている点が、第３実施形態と異なっている。
【００４４】
本実施形態のフィルター４２は、基材１１２と、この基材１１２の内部に（臭い成分と接触する部分の少なくとも一部に）担持された粉末状の光触媒４１とを有している。
なお、このときＬＥＤ３９は、フィルター４２に担持された光触媒４１に照射し得る位置に配置されている。
この画像形成装置１によれば、前述した第３実施形態の画像形成装置１と同様の効果が得られる。
【００４５】
そして、この画像形成装置１では、基材１１２において臭い成分を吸着、捕捉し、さらに、励起された光触媒４１の効果によって、基材１１２に吸着された臭い成分を分解することができる。これにより、より確実に、排気口３７からの臭いの流出を防止することができる。また、フィルター４２の吸着能力が飽和することを防止することができ、フィルター４２の長寿命化も図ることができる。
【００４６】
なお、本実施形態では、基材１１２の内部に光触媒４１を担持したが、それに限られず、例えば、基材１１２の表面に光触媒４１を担持してもよい。
以上、本発明の画像形成装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００４７】
また、本発明は、前記各実施形態のうちの、任意の２以上の構成（特徴）を組み合わせたものであってもよい。
また、前記各実施形態では、光触媒４１は、排気ダクト３８内に設けたが、光触媒（触媒）４１の配置（配設）箇所は、前記各実施形態に限られず、本発明では、排気経路の途中に設けられていればよい。
【００４８】
また、前記各実施形態では、触媒として光触媒を用いたが、本発明では、特に限定されない。
また、前記各実施形態では、定着体として、定着ローラ２４や加圧ローラ２５等のローラを用いたが、それに限られず、例えば、無端フィルムでもよい。
また、本発明の画像形成装置の用途は、特に限定されず、例えば、レーザープリンタ等の各種プリンタ等に適用することができる。
【実施例】
【００４９】
以下、本発明の具体的実施例について説明する。
１．画像形成装置の製造
（実施例１）
図１に示すような画像形成装置を製造した。
なお、光触媒には、アナターゼ型の二酸化チタン粉末（平均粒径１０μｍ）を用いた。
そして、この二酸化チタン粉末と、エチルアルコール（バインダー）とを混合して、この混合物を排気ダクトの内表面に塗布して二酸化チタンを配設した。
【００５０】
（実施例２）
図４に示すような画像形成装置を製造した。
なお、光触媒には、アナターゼ型の二酸化チタン粉末（平均粒径１０μｍ）を用いた。
この光触媒をガラス製の板材の上にのせ、この板材を排気ダクトの内表面に貼着した。
（実施例３）
図５に示すような画像形成装置を製造した。
なお、フィルターには、活性炭（炭素系物質）で構成されたフィルターを用いた。
なお、光触媒は、前記実施例１と同様にして排気ダクトの内表面に配設した。
【００５１】
（実施例４）
図６に示すような画像形成装置を製造した。
なお、光触媒は、前記実施例１と同様にして排気ダクトの内表面に配設した。
（実施例５）
図７、８に示すような画像形成装置を製造した。
なお、光触媒には、アナターゼ型の二酸化チタン粉末（平均粒径１０μｍ）を用いた。
この二酸化チタンとポリイミド樹脂とを混合して、その混合物をフィルター形状の成形体に成形した。この成形体を大気中、１５００℃×２時間で焼成してポリイミド樹脂を炭化させた。これにより、二酸化チタン粉末を含有するフィルターを得た。
【００５２】
（比較例１）
排気ダクトに光触媒を配設しない以外は、前記実施例１と同様にして図１に示すような画像形成装置を製造した。
（比較例２）
排気ダクトに光触媒を配設しない以外は、前記実施例３と同様にして図５に示すような画像形成装置を製造した。
【００５３】
２．評価
ボランティアを５０人集めて、各画像形成装置から排出される空気の臭いを表１に示すような順番でかいでもらった。
そして、各画像形成装置から排出される空気の臭いについて、以下の４段階の基準に従い評価してもらった。
◎：全く嫌な臭いがしない(と感じた)。
○：若干臭いが気になる(と感じた)。
△：若干不快な臭いがする(と感じた)。
×：かなり不快な臭いがする(と感じた)。
結果を下記表１に示す。
【００５４】
【表１】
2006133425.tif 000003
【００５５】
表１に示すように、各実施例の画像形成装置では、いずれも相当数の人が、全く嫌なにおいがしないと判断し、臭い成分が除去されていることが明らかとなった。特に、光触媒とフィルターとを併用した画像形成装置（実施例３、５）では、全く嫌な臭いがしないと判断した人数が増加する傾向を示した。
これに対し、各比較例の画像形成装置では、相当数の人が、臭いが気になると判断した。
【図面の簡単な説明】
【００５６】
【図１】本発明の画像形成装置の第１実施形態を示す側面断面図である。
【図２】図１に示す画像形成装置における定着装置の側面断面図である。
【図３】画像形成装置における排気経路を示す正面図である。
【図４】本発明の画像形成装置の第２実施形態を示す正面図である。
【図５】本発明の画像形成装置の第３実施形態を示す正面図である。
【図６】本発明の画像形成装置の第４実施形態を示す正面図である。
【図７】本発明の画像形成装置の第５実施形態を示す正面図である。
【図８】本発明の画像形成装置の第５実施形態におけるフィルターを示す断面図である。
【符号の説明】
【００５７】
１……画像形成装置  ２……本体ケース  ２ａ……前面カバー  ３……像担持体  ４……帯電装置  ５……露光装置  ６……ロータリー現像装置  ６ａ……現象ローラ  ６Ｙ……イエロー用現像装置  ６Ｍ……マゼンダ用現像装置  ６Ｃ……シアン用現像装置  ６Ｋ……ブラック用現像装置  ７……中間転写装置  ９……支持フレーム  １０……駆動ローラ  １１……従動ローラ  １２……中間転写ベルト  １３……一次転写ローラ  １４……転写ベルトクリーナ  １５……二次転写ローラ  １６……電源機器  １７……給紙カセット  １７ａ……補助カセット  １７ｂ……把手  １８……ピックアップローラ  １９……シート材搬送路  ２０……定着装置  ２１……排紙トレイ  ２２……両面印刷用搬送路  ２３……定着ハウジング  ２４……定着ローラ  ２５……加圧ローラ  ２６、２７……ガイド部材  ２９……剥離部材  ３０……支持軸  ３１……支持部材  ３２……バネ部材  ３３……剥離部材  ３４……遮断部材  ３５……給気口  ３６……排気ファン  ３７……排気口  ３８……排気ダクト  ３９……ＬＥＤ  ４１……触媒（光触媒）  ４２……フィルター  ４３、４４……窓部  ４５、４６……透明部材  ４９……光ファイバー  １１２……基材
【図１】
2006133425.tif 000004
【図２】
2006133425.tif 000005
【図３】
2006133425.tif 000006
【図４】
2006133425.tif 000007
【図５】
2006133425.tif 000008
【図６】
2006133425.tif 000009
【図７】
2006133425.tif 000010
【図８】
2006133425.tif 000011